(57)【要約】【課題】前後方向の寸法が小さくメンテナンス性のよい空調装置およびエレベータ用の空調装置を提供すること。【解決手段】空調装置Ａは、縦向きに立設された竪枠体と、竪枠体の上部に回動自在に横設された上ロール３６と、竪枠体の下部に回動自在に横設された下ロール３８と、上ロール３６と下ロール３８に無端状に巻きかけられるとともに凝縮器１４の通風方向下流側に配置される保水ベルト４２と、下ロール３８を槽内水浸位置に収容するドレン水受槽４４とを具備してなるドレン水処理装置Ｂを後部通風路５内に設けて、ドレン水Ｄを吸収した保水ベルト４２に凝縮器１４からの通風を当ててドレン水Ｄを蒸散させるようにしたものである。【選択図】図１
2007333243.tif 000002
【特許請求の範囲】
【請求項１】
本体ケーシング内が仕切壁で前部通風路と後部通風路とに区画され、前部通風路内に冷媒回路の蒸発器が配備され、後部通風路内に冷媒回路の凝縮器が配備され、蒸発器からのドレン水を後部通風路内で蒸散させる空調装置において、縦向きに立設された竪枠体と、竪枠体の上部に回動自在に横設された上ロールと、竪枠体の下部に回動自在に横設された下ロールと、上ロールと下ロールに無端状に巻きかけられるとともに凝縮器の通風方向下流側に配置される保水ベルトと、下ロールを槽内水浸位置に収容するドレン水受槽とを具備してなるドレン水処理装置を後部通風路内に設けて、ドレン水を吸収した保水ベルトに凝縮器からの通風を当ててドレン水を蒸散させるようにしたことを特徴とする空調装置。
【請求項２】
前部通風路内で蒸発器と蒸発器送風用ファンが上下に配置され、後部通風路内で凝縮器と凝縮器送風用ファンが上下に配置されてなる請求項１に記載の空調装置。
【請求項３】
三相交流電源からインバータ電源を生成し該インバータ電源を圧縮機駆動用モータに給電するインバータ装置と、インバータ装置に通信接続されてインバータ電源の出力周波数を制御する制御装置とを備えている請求項１または請求項２に記載の空調装置。
【請求項４】
昇降空間内を移動する乗りかご内部に蒸発器および凝縮器を配置し、前記凝縮器を有する後部通風路内のドレン水蒸散後の空気を排出する吹出し口と対面する位置の前記乗りかごの側壁に連通孔を備えることを特徴とするエレベータ用の空調装置。
【請求項５】
請求項１記載の空調装置を乗りかごの内部上方に取付けるとともに、前記空調装置のドレン水蒸散後の空気を前記乗りかごの側壁を通して昇降空間に排出することを特徴とするエレベータ用の空調装置。
【請求項６】
請求項１記載の空調装置を昇降空間内を移動する乗りかご内部に配置し、前記空調装置をエレベータ装置に用いることを特徴とするエレベータ用の空調装置。
【発明の詳細な説明】
【技術分野】
【０００１】
本発明は、冷媒回路の構成部品を一体に備える小型の空調装置およびエレベータ用の空調装置に関するものである。
【背景技術】
【０００２】
従来、この種の空調装置としては、本体ケーシングにおける前部通風路内の蒸発器で生じたドレン水を後部通風路内に流入させたのち、後部通風路内の凝縮器に送風する軸流ファンとドレン水飛散手段とによりドレン水を凝縮器に飛ばして蒸散させるようにした一体型装置が知られている。かかる空調装置は、窓に取り付けられるウィンドクーラや室内に置かれるスポットクーラとして利用されており、例えば下記の特許文献１に記載されている。
【０００３】
【特許文献１】特開２００２−１８１３４６号公報
【特許文献２】特開２００３−４８６７７号公報
【発明の開示】
【発明が解決しようとする課題】
【０００４】
ところで、上記した特許文献１記載の空調装置は、蒸発器、蒸発器送風用ファン、仕切壁、スリンガリング付き凝縮器送風用ファン、および凝縮器が前後方向に連設されているので、前後方向の寸法が大きくならざるを得ない。また、スリンガリングおよび凝縮器送風用ファンの作用により凝縮器の表面にドレン水を均等に飛ばすためには、スリンガリング付き凝縮器送風用ファンと凝縮器との間に適当な空間が必要であり、これも前後方向の寸法を更に大きくしている。加えて、冷媒管と放熱フィンが入り組んで複雑な構造となっている凝縮器にドレン水がかけられるため、通過する空気中の塵やドレン水中の夾雑物が凝縮器の表面に堆積して熱交換効率を低下させることがある。その場合でも、複雑構造の凝縮器を清掃したり堆積物を除去することは面倒でありメンテナンス性が悪かった。
【０００５】
一方で、特許文献１と同様構成の空調装置をエレベータ装置の乗りかごに設けた技術が、例えば特許文献２に開示されている。しかしながら、特許文献１および特許文献２に記載の空調装置はさほどコンパクトでないことから、大型の乗りかご（１６人乗り以上）の場合であっても乗りかご外の屋根上などに設置せざるを得ない。そのために、空調装置の設置工事はもとより点検整備なども容易でなかった。
他方で、比較的小型の乗りかご（６〜１２人乗り）は空調装置を備えていないものが多いが、近年の生活快適化志向の増進により乗りかご内の快適感も望まれており、小型空調装置の設置が嘱望されていた。
【０００６】
ところで、一定周波数（５０ＨＺまたは６０Ｈｚ）の三相交流電源を給電して圧縮機を起動する場合は大きな起動電流が流れるため、大容量の給電線が必要となる。しかしながら、空調装置を備えていない乗りかごの場合は、一般に小容量の給電線しか接続されていない。そのために、空調装置を乗りかごに後付けする際には大容量の給電線を新設しなければならないことが多く、その場合は多大な工事の手間と費用がかかり現実的でない。
【０００７】
本発明は、上記した従来の問題点に鑑みてなされたものであって、前後方向の寸法が小さくメンテナンス性のよい空調装置およびエレベータ用の空調装置の提供を目的とする。
【課題を解決するための手段】
【０００８】
上記目的を達成するために、本発明に係る空調装置は、本体ケーシング内が仕切壁で前部通風路と後部通風路とに区画され、前部通風路内に冷媒回路の蒸発器が配備され、後部通風路内に冷媒回路の凝縮器が配備され、蒸発器からのドレン水を後部通風路内で蒸散させる空調装置において、縦向きに立設された竪枠体と、竪枠体の上部に回動自在に横設された上ロールと、竪枠体の下部に回動自在に横設された下ロールと、上ロールと下ロールに無端状に巻きかけられるとともに凝縮器の通風方向下流側に配置される保水ベルトと、下ロールを槽内水浸位置に収容するドレン水受槽とを具備してなるドレン水処理装置を後部通風路内に設けて、ドレン水を吸収した保水ベルトに凝縮器からの通風を当ててドレン水を蒸散させるようにした構成にしてある。
【０００９】
また、前記構成において、前部通風路内で蒸発器と蒸発器送風用ファンが上下に配置され、後部通風路内で凝縮器と凝縮器送風用ファンが上下に配置されてなるものである。
ものである。
【００１０】
そして、前記した各構成において、三相交流電源からインバータ電源を生成し該インバータ電源を圧縮機駆動用モータに給電するインバータ装置と、インバータ装置と通信接続されてインバータ電源の出力周波数を制御する制御装置とを備えているものである。
【００１１】
更に、本発明に係るエレベータ用の空調装置は、昇降空間内を移動する乗りかご内部に蒸発器および凝縮器を配置し、前記凝縮器を有する後部通風路内のドレン水蒸散後の空気を排出する吹出し口と対面する位置の前記乗りかごの側壁に連通孔を備えるものである。
【００１２】
また、請求項１記載の空調装置を乗りかごの内部上方に取付けるとともに、前記空調装置のドレン水蒸散後の空気を前記乗りかごの側壁を通して昇降空間に排出することを特徴とするエレベータ用の空調装置である。
【００１３】
そして、請求項１記載の空調装置を昇降空間内を移動する乗りかご内部に配置し、前記空調装置をエレベータ装置に用いることを特徴とするエレベータ用の空調装置である。
【発明の効果】
【００１４】
本発明に係る空調装置においては、ドレン水処理装置が、上下に配置された上ロールと下ロールの間を周回する保水ベルトに凝縮器からの通風を当ててドレン水を蒸散させる竪型構成であることから、ドレン水処理装置自体の前後方向寸法が小さくて済む。また、ドレン水は周回する保水ベルトに同伴して通風路に供給されるので、ドレン水処理装置と凝縮器との間に従来技術のようなドレン飛散用の空間を確保する必要がなくドレン水処理装置を凝縮器に隣接して配備することができる。これらにより、ドレン水処理装置およびその設置スペースに関する前後方向寸法を小さくすることができ、小型の空調装置が提供されるのである。従って、本発明の空調装置は例えばエレベータ装置の比較的小型の乗りかごであっても好適に配備される。また、凝縮器は濡れていないので空気中の塵は凝縮器を通過して保水ベルトで捕捉され、ドレン水中の夾雑物は凝縮器でなく保水ベルトで捕捉される。これらにより、凝縮器の熱交換効率低下を抑制して凝縮器の清掃作業頻度を少なくすることができてメンテナンス性が向上した。
【００１５】
また、前部通風路内で蒸発器と蒸発器送風用ファンが上下に配置され、後部通風路内で凝縮器と凝縮器送風用ファンが上下に配置された構成の場合は、本体ケーシングの前後方向の寸法を更に小さくできて、よりコンパクトな小型空調装置が得られる。
【００１６】
そして、上記のインバータ装置と制御装置とを備える構成の場合、圧縮機起動時にインバータ装置が小さな出力周波数のインバータ電源を圧縮機駆動用モータに給電し、その後次第にインバータ電源の出力周波数を大きくするので、一定周波数の三相交流電源で起動する場合のように大きな起動電流は流れない。従って、大容量の給電線を必要としない場合が多いことから、既設の給電線が小容量のものであってもその給電線をそのまま利用して本発明の空調装置を配備することができる。これにより、給電線新設の手間と費用をかけずに済むことも多くなる。すなわち、エレベータ用の空調装置としても極めて有用となる。
【発明を実施するための最良の形態】
【００１７】
本発明の最良の実施形態を図面に基づいて説明する。尚、以下に述べる実施形態は本発明を具体化した一例に過ぎず、本発明の技術的範囲を限定するものでない。ここに、図１は本発明の一実施形態に係る空調装置を左側面から見た内部構成図、図２は前記空調装置を正面から見た内部構成図、図３は前記空調装置の冷媒回路系を示す回路構成図である。
各図において、この実施形態に係る空調装置Ａは、圧縮機２０、凝縮器１４、冷媒絞り部２１、蒸発器１０、およびアキュムレータ２２を当該順に冷媒配管２３を介して環状に接続してなる冷媒回路が、ひとつの本体ケーシング２内に配備された一体型の空気調和装置である。また、空調装置Ａは、圧縮機２０を駆動する圧縮機駆動用モータ２４と、三相交流電源２６からインバータ電源を生成しこのインバータ電源を圧縮機駆動用モータ２４に給電するインバータ装置２５と、インバータ装置２５に通信接続されてインバータ電源の出力周波数を制御出力する制御装置２７とを備えている。これらのインバータ装置２５および制御装置２７は、例えば本体ケーシング２に付設された制御ボックス２８内のマイクロコンピュータ（以下マイコンと称する）で構成される。前記のマイコンは、中央演算ユニット（ＣＰＵ）、メモリ（ＲＯＭ、ＲＡＭ）、クロック、データバスなどを備えた汎用品を用いてある。尚、制御装置２７のマイコンのメモリには、この例では４０Ｈｚ、５０Ｈｚ、６０Ｈｚの３段階の出力周波数に係るデータが格納されている。
【００１８】
本体ケーシング２の内部は、前後略中央部分で仕切壁３により前部通風路４と後部通風路５とに区画されている。本体ケーシング２の前面上部には利用側空間の空気を吸い込むための吸込み口６が形成され、前面下部には空気調和後の空気を利用側空間に吹き出すため吹出し口７が形成されている。これらの吸込み口６と吹出し口７とは前部通風路４を介して連通している。本体ケーシング２の後面下部には空気の吸込み口８が形成され、後面上部には熱交換後の空気を吹き出すため吹出し口９が形成されている。吸込み口８と吹出し口９とは後部通風路５を介して連通している。
【００１９】
本体ケーシング２において、前部通風路４内の上部で吸込み口６と隣接する位置に蒸発器１０が配置され、前部通風路４内の下部には蒸発器１０に空気を供給する蒸発器送風用ファン１３が配置されている。蒸発器１０の下方には冷房運転時に蒸発器１０の表面から滴下したドレン水Ｄを収受するドレンパン１１が設けられている。一方、後部通風路５内の下部で吸込み口８と隣接する位置には凝縮器１４が配置され、後部通風路５内の上部には凝縮器１４に空気を供給する凝縮器送風用ファン１６が配置されている。前記した蒸発器送風用ファン１３と凝縮器送風用ファン１６はいずれも水平回転軸である駆動軸１２，１５の軸心と交差する方向に送風するクロスフロー型ファンである。但し、蒸発器送風用ファン１３と凝縮器送風用ファン１６はクロスフロー型ファンに限定されない。そして、後部通風路５内における凝縮器１４の直前位置、すなわち凝縮器１４の通風方向（矢印Ｆ方向）下流側の隣接位置に、蒸発器１０で生じたドレン水Ｄを蒸散させるドレン水処理装置Ｂが配置されている。
【００２０】
このドレン水処理装置Ｂは、図１および図４に示すように、左右に離間して配置された縦向き一対の竪枠体３０，３０を備えている。これらの竪枠体３０，３０は上下２本のシャフト３２，３２を介して連結固定されている。竪枠体３０，３０の上端部近傍には、例えばポリアミド製の上ロール３６が横設され回動自在に架け渡されている。竪枠体３０，３０の下端部近傍には、例えばポリアミド製の下ロール３８が横設され回動自在に架け渡されている。そして、上ロール３６と下ロール３８との間に無端状の保水ベルト４２が巻きかけられている。この保水ベルト４２はドレン水Ｄを吸収したまま走行可能な例えばポリエステル製の不織布などで構成され、凝縮器１４直前の隣接位置に配置される。前記の下ロール３８は上面開口を有するドレン水受槽４４の内部に収容されており、少なくともロール下端位置がドレン水受槽４４内のドレン水Ｄに浸る位置（水浸位置）に配置されている。ドレン水受槽４４には一端開口部がドレンパン１１の底部に連結された連通管４５の他端開口部が投入されており、蒸発器１０から滴下したドレン水Ｄをドレンパン１１および連通管４５を経てドレン水受槽４４に収容するようになっている。そして、上ロール３６の軸先端４３は、一方の竪枠体３０上部に装着されたブッシュ３３に回動自在に枢支されている。上ロール３６の他端は、他方の竪枠体３０上部に固設されたモータ３４の駆動軸３５と連結されている。下ロール３８は円筒状に形成されており、竪枠体３０，３０の下部に架け渡されたロールシャフト３７に両側のベアリング３９，３９を介して回動自在に枢支されている。
【００２１】
上ロール３６の外周面には、ロール軸心方向に適宜離間した３つの位置に周溝４１，４１，４１が全周にわたって形成されている。下ロール３８の外周面にも、前記上ロール３６の周溝４１，４１，４１と対向する下方位置に、同様の周溝４１，４１，４１が全周にわたって形成されている。これら上下対向して対をなす周溝４１，４１には、例えばウレタンゴム製のゴムリング４０がそれぞれ巻きかけられている。中央のゴムリング４０は上ロール３６と下ロール３８に直に巻きかけられており、左右両側のゴムリング４０，４０は保水ベルト４２の上から上ロール３６と下ロール３８に巻きかけられている。これらのゴムリング４０，４０，４０は、モータ３４から上ロール３６に与えられた回転駆動力を保水ベルト４２および下ロール３８に伝達する役割を果たしている。但し、ゴムリング４０，４０，４０の巻きかけ態様は上例に限定されることなく自由である。また、上ロール３６，下ロール３８，ゴムリング４０，および保水ベルト４２を構成する素材も上例に限るものでない。
【００２２】
そして、一対の竪枠体３０，３０の上下中央部分には、前方に延在し更に左内向きまたは右内向きに屈曲した係止部３１，３１が設けられている。これらの係止部３１，３１が仕切壁３の背面の支持部材（図示省略）に支持・固定されることにより、上ロール３６、下ロール３８、および保水ベルト４２を含んでなるベルトユニットが本体ケーシング２内の所定位置で中空配置される。
【００２３】
上記した構成の空調装置Ａの冷房運転において、圧縮機２０から吐出された高温高圧のガス冷媒は、凝縮器１４で熱源側空気と熱交換して凝縮し液冷媒となる。凝縮器１４からの液冷媒は冷媒絞り部２１で膨張して気液二相冷媒となったのち蒸発器１０に流入する。蒸発器１０で利用側空気と熱交換した冷媒は蒸発して低温低圧のガス冷媒となりアキュムレータ２２を経て圧縮機２０の吸込側に戻る。かかる一連の冷凍サイクル動作が繰り返される。尚、凝縮器１４においては、熱源側空気が加熱されて昇温する。また、蒸発器１０においては、利用側空間の空気が冷却されて降温するとともに空気中の水分が凝縮しドレン水Ｄとなってドレンパン１１に滴下し、連通管４５を経てドレン水受槽４４内に貯留される。
【００２４】
この冷房運転の起動時に、インバータ装置２５は、制御装置２７から出力された出力周波数データに基づいて三相交流電源２６より１０Ｈｚのインバータ電源を生成し、このインバータ電源を圧縮機駆動用モータ２４に給電する。すなわち、運転開始時の起動電流は小さい。続いて、制御装置２７はインバータ装置２５に出力される出力周波数データの値を１Ｈｚ／秒の増加速度で４０Ｈｚまで高めていく。出力周波数データが４０Ｈｚに達すると、制御装置２７は、それぞれ検出した、利用側空間温度（室内温度など）、圧縮機吐出冷媒温度、圧縮機駆動用モータ２４への給電電流値、冷媒蒸発温度などの冷媒回路状況から、そのときの出力周波数データが最適な出力周波数であるか否かを判断する。そのときの出力周波数データ（４０Ｈｚ）が最適な出力周波数であると判断すれば、４０Ｈｚのままで運転を続行する。出力周波数データが最適な出力周波数でないと判断すれば、出力周波数データの値を１Ｈｚ／秒の増加速度で５０Ｈｚまで高めていく。かかる判断は、５０Ｈｚと６０Ｈｚの場合も４０Ｈｚのときと同様に実行される。但し、６０Ｈｚのときに最適な出力周波数でないと判断した場合は、出力周波数データの値を１Ｈｚ／秒の降下速度で５０Ｈｚまで低下させる。
【００２５】
尚、インバータ電流の出力周波数の変更は、上記した４０Ｈｚ、５０Ｈｚ、６０Ｈｚの３段階に限るものでなく、２段階または４段階以上であってよく、あるいは無段階で行なうようにしても構わない。但し、上記のように数段階に分けて行なうようにすると、無段階で低い出力周波数のときに生じる固有振動の問題を回避することができる。
【００２６】
一方、ドレン水処理装置Ｂでは、モータ３４が回転駆動して上ロール３６を矢印Ｅ方向（図１参照）に回転させる。すると、保水ベルト４２はドレン水受槽４４内のドレン水Ｄを吸収しながら上ロール３６と下ロール３８の間を周回する。このようにドレン水受槽４４内のドレン水Ｄを吸収した保水ベルト４２に、凝縮器１４で昇温した通風が当たってドレン水Ｄを蒸散させるのである。
尚、ドレン水受槽４４内で保水ベルト４２の下端高さ位置に水位センサを設けておき、水位センサがドレン水を検知したときにモータ３４に通電して保水ベルト４２を周回起動させ、水位センサがドレン水を検知していないときにはモータ３４への通電を停止するようにしても構わない。
【００２７】
この実施形態の空調装置Ａによれば、ドレン水処理装置Ｂが、上下に配置された上ロール３６と下ロール３８の間を周回する保水ベルト４２に凝縮器１４からの通風を当ててドレン水Ｄを蒸散させるようにした竪型構成であることから、ドレン水処理装置Ｂ自体の前後方向の寸法Ｗ（図１参照）が小さくて済む。また、ドレン水Ｄは周回する保水ベルト４２に同伴して通風路に供給されるので、ドレン水処理装置Ｂを凝縮器１４に隣接して配備することができる。これらが相まって、小型の空調装置Ａが提供される。更に、ドレン水Ｄ中の夾雑物は凝縮器１４でなく保水ベルト４２で捕捉される。また、凝縮器１４は濡れていないので空気中の塵は凝縮器１４を通過して保水ベルト４２で捕捉されやすくなる。これらにより、凝縮器１４の熱交換効率低下が抑制され凝縮器１４の清掃頻度が小さくなってメンテナンス性がよくなる。更に、前部通風路４内で蒸発器１０と蒸発器送風用ファン１３が上下に配置され、後部通風路５内で凝縮器１４と凝縮器送風用ファン１３が上下に配置されているので、本体ケーシング２の前後方向の寸法を更に小さくできる。これにより、よりコンパクトな空調装置Ａが提供される。
【００２８】
そして、空調装置Ａはインバータ装置２５と制御装置２７を備えており、圧縮機２０の起動時にインバータ装置２５が小さな出力周波数のインバータ電源を圧縮機駆動用モータ２４に給電し、その後次第にインバータ電源の出力周波数を大きくするので、大容量の給電線を用いなくて済むことが多く生じる。これにより、既設の給電線が小容量のものであってもその給電線をそのまま利用して空調装置Ａを配備できる場合が多い。
【００２９】
上記した空調装置Ａは、図５および図６に示すように、エレベータ装置Ｃに適用される。この例では、エレベータ装置Ｃの昇降空間５５内に配備された乗りかご５０の内部上方である天井５１近傍の側壁５２に、空調装置Ａが取付けられている。空調装置Ａ背面の吹出し口９（図示省略）と対面する位置の側壁５２には、吹出し口９からの空気を昇降空間５５に送出するための連通孔５３が穿設され、吸込み口８（図示省略）と対面する位置の側壁５２には、昇降空間５５の空気を吸込み口８に取り込むための連通孔５４が穿設されている。
【００３０】
このような空調装置Ａは配備に大きなスペースを必要としないので、エレベータ装置の乗りかごに空調装置を持っていない小規模マンションでも、好適に設置することができる。加えて、給電線も既設のものをそのまま転用できるのである。
尚、昇降空間５５の空気を吸込み口６に取り込むための連通孔（図示省略）を乗りかご５０に設け、この連通孔と吸込み口６をダクトなどで連結することも可能である。かかる構成の場合は、乗りかご５０内を換気することができる。
【００３１】
また、空調装置Ａはコンパクトなので、図７に示すように、空調装置Ａを乗りかご５０の屋根上５６にも余裕をもって新設することができる。この場合、空調装置Ａの吹出し口６にダクト５７の一端を連結し、ダクト５７の他端を乗りかご５０内に装入しておく。かかる構成の場合は、乗りかご５０内に装置設置スペースをとる必要がないことから乗りかご５０内が狭くならない。
【００３２】
また、本発明に係る空調装置は、上記したエレベータ用以外に、例えば住居の窓に設置して室内を冷房するウインドクーラや、室内や作業所内に設置して局所的に冷風を送風するスポットクーラなどとしても利用可能である。
【図面の簡単な説明】
【００３３】
【図１】本発明の一実施形態に係る空調装置を左側面から見た内部構成図である。
【図２】前記空調装置を正面から見た内部構成図である。
【図３】前記空調装置の冷媒回路系を示す回路構成図である。
【図４】前記空調装置のドレン水処理装置を示す一部断面を含む正面図である。
【図５】前記空調装置をエレベータ装置の乗りかご内に配置した例を示す態様図である。
【図６】前記乗りかご内に配置した空調装置を見上げた外観図である。
【図７】前記空調装置を乗りかごの屋根上に設置した例を示す態様図である。
【符号の説明】
【００３４】
Ａ    空調装置
Ｂ    ドレン水処理装置
２    本体ケーシング
３    仕切壁
４    前部通風路
５    後部通風路
１０  蒸発器
１１  ドレンパン
１３  蒸発器送風用ファン
１４  凝縮器
１６  凝縮器送風用ファン
２０  圧縮機
２４  圧縮機駆動用モータ
２５  インバータ装置
２６  三相交流電源
２７  制御装置
３０  竪枠体
３６  上ロール
３８  下ロール
４２  保水ベルト
４４  ドレン水受槽
４５  連通管
５０  乗りかご
５２  側壁
５３  連通孔
５５  昇降空間
Ｄ    ドレン水
Ｆ    矢印
【図１】
2007333243.tif 000003
【図２】
2007333243.tif 000004
【図３】
2007333243.tif 000005
【図４】
2007333243.tif 000006
【図５】
2007333243.tif 000007
【図６】
2007333243.tif 000008
【図７】
2007333243.tif 000009